(57)【特許請求の範囲】
【請求項１】
長方形のトイレスペースの隣接する長辺、短辺に沿ってそれぞれ配置する二連の引き戸と外開きの開き戸とを備えてなり、前記開き戸は、短辺と同方向の全閉位置に閉じてロック可能であり、前記引き戸は、連動機構を介して連動する前扉、後扉を組み合わせ、前記前扉の戸先側を全閉位置の前記開き戸の戸先側に直角に当接させることにより全閉位置に閉じてロック可能であり、全閉位置にロックする操作部を前記後扉の戸尻側の室内側に装着することを特徴とするトイレ用のドア装置。
【請求項２】
前記引き戸は、前記後扉の戸尻側の室内側、前記前扉の戸先側の室内側、室外側にそれぞれ引き手を設けることを特徴とする請求項１記載のトイレ用のドア装置。
【請求項３】
前記開き戸は、全閉位置にロックする操作部を戸先側の室内側に装着することを特徴とする請求項１または請求項２記載のトイレ用のドア装置。
【請求項４】
前記引き戸は、前記後扉用の戸袋を備え、該戸袋は、室内側を開放することを特徴とする請求項１ないし請求項３のいずれか記載のトイレ用のドア装置。
【発明の詳細な説明】
【技術分野】
【０００１】
この発明は、車椅子の使用者が便利に利用することができるトイレ用のドア装置に関する。
【背景技術】
【０００２】
車椅子を使用する身障者が利用することを目的とするトイレが提案されている（たとえば特許文献１）。
【０００３】
従来の身障者用のトイレの出入口は、１枚の引き戸によって開閉される。引き戸は、車椅子に乗っている身障者が安全に、しかも円滑に開閉することができるように、身障者の利き腕によって使い勝手がよい右開き、左開きのいずれかの形態の壁引込み形に構成されている。
【先行技術文献】
【特許文献】
【０００４】
【特許文献１】特開２００７−８９７８０号公報
【発明の概要】
【発明が解決しようとする課題】
【０００５】
かかる従来技術によるときは、トイレの出入口は、車椅子が入室可能な開口幅を引き戸によって開閉するだけであるから、たとえば介助者の付添が必要な身障者の場合は、出入口が狭いために極めて使いづらいという問題があった。なお、介助者の付添のために出入口を拡幅するとすれば、必要なトイレスペースが過大になって建物の面積効率を損うことが避けられない。
【０００６】
そこで、この発明の目的は、かかる従来技術の問題に鑑み、二連の引き戸と外開きの開き戸とを併用することによって、過大なトイレスペースを要することなく、必要十分な出入口を容易に実現することができるトイレ用のドア装置を提供することにある。
【課題を解決するための手段】
【０００７】
かかる目的を達成するためのこの発明の構成は、長方形のトイレスペースの隣接する長辺、短辺に沿ってそれぞれ配置する二連の引き戸と外開きの開き戸とを備えてなり、開き戸は、短辺と同方向の全閉位置に閉じてロック可能であり、引き戸は、連動機構を介して連動する前扉、後扉を組み合わせ、前扉の戸先側を全閉位置の開き戸の戸先側に直角に当接させることにより全閉位置に閉じてロック可能であり、全閉位置にロックする操作部を後扉の戸尻側の室内側に装着することをその要旨とする。
【０００８】
なお、引き戸は、後扉の戸尻側の室内側、前扉の戸先側の室内側、室外側にそれぞれ引き手を設けることができる。
【０００９】
また、開き戸は、全閉位置にロックする操作部を戸先側の室内側に装着してもよく、引き戸は、後扉用の戸袋を備え、戸袋は、室内側を開放してもよい。
【発明の効果】
【００１０】
かかる発明の構成によるときは、トイレスペースの長辺側の二連の引き戸は、車椅子が入室可能な長辺側の出入口を開閉することができ、短辺側の開き戸は、たとえば介助者の入室が必要な場合に短辺側の出入口を開放して長辺側の出入口と一体の必要十分な大きさの出入口を形成することができる。すなわち、介助者の付添が不要な身障者は、二連の引き戸だけを開けて車椅子を入室させればよく、介助者の付添が必要な身障者の場合は、二連の引き戸、外開きの開き戸の双方を開けて介助者とともに入室することができる。ただし、前者の場合は、身障者自身が引き戸を開閉すればよく、後者の場合は、介助者が引き戸、開き戸を開閉すればよい。
【００１１】
引き戸は、前扉の戸先側の室外側の引き手を介して室外側から開くことができ、後扉の戸尻側の引き手、または前扉の戸先側の室内側の引き手を介して室内側から開閉することができる。なお、後扉の戸尻側の引き手は、便座に着座している身障者が直接操作することができるように、便座との相対位置関係を設定するものとする。また、引き戸は、たとえばぜんまいばね式の駆動ユニットなどを介して自動閉鎖形に構成するとともに、全開位置に保持するための保持部材を付設することが好ましい。
【００１２】
引き戸は、後扉の戸尻側の室内側に装着する操作部を介し、便座に着座中の身障者により全閉位置にロックすることができ、ロックを解放することができる。
【００１３】
開き戸は、戸先側の室内側に装着する操作部を介し、全閉位置にロックし、ロックを解放することができる。ただし、開き戸の操作部は、たとえば介助者が操作すればよい。
【００１４】
引き戸は、後扉用の戸袋の室内側を開放することにより、便座に着座中の身障者が後扉の戸尻側の引き手を介して引き戸を自在に開閉操作し、ロック用の操作部を操作することができる。なお、戸袋の室外側は、たとえば建物の壁パネルを延長して体裁よく閉鎖するものとする。
【図面の簡単な説明】
【００１５】
【図１】室外側から見る全体構成模式斜視図（１）
【図２】室外側から見る全体構成模式斜視図（２）
【図３】室内側から見る全体構成模式斜視図
【図４】図３のＸ矢視相当構成模式図
【図５】図３のＹ矢視相当構成模式図
【図６】要部拡大模式説明図
【図７】使用状態説明図（１）
【図８】使用状態説明図（２）
【発明を実施するための形態】
【００１６】
以下、図面を以って発明の実施の形態を説明する。
【００１７】
トイレ用のドア装置は、二連の引き戸１０と、外開きの開き戸２０とを備えてなる（図１、図２）。
【００１８】
引き戸１０、開き戸２０は、直角に連結する壁パネルＷ、Ｗとともに、図示しない建物の室内の角部を囲むことにより、長方形のトイレスペースＳを内部に形成している。ただし、各方向の壁パネルＷ、Ｗは、それぞれ外パネルＷ1 、内パネルＷ2 の二重パネルとなっている。引き戸１０、開き戸２０は、それぞれトイレスペースＳの隣接する長辺、短辺に沿って配置されている。
【００１９】
引き戸１０は、前扉１１と後扉１２とを組み合わせている（図３、図４）。後扉１２は、外れ止めローラ１２ａ1 付きの前後の吊車１２ａ、１２ａを介してガイドレール１３から前後動自在に吊下されている。一方、前扉１１の戸先側は、外れ止めローラ１１ａ1 付きの吊車１１ａを介してガイドレール１３から吊下され、戸尻側は、戸車１１ｂを介し、後扉１２の下端に装着する戸車レール１２ｂに沿って前後動可能に支持されている。また、前扉１１の戸尻側は、上端のガイドローラ１１ｃを介して振れ止めされている。ただし、前扉１１は、後扉１２内に収納可能であり（図４、図５）、ガイドローラ１１ｃは、後扉１２の上端の吊車１２ａ、１２ａ用の補助フレーム１２ｃに係合している（図６（Ａ））。なお、後扉１２は、床上のガイドローラ１２ｄが下端の戸車レール１２ｂに係合して振れ止めされている（図４、図６（Ｃ））。
【００２０】
前扉１１、後扉１２は、連動機構３０を介して連動する。連動機構３０は、補助フレーム１２ｃを介して後扉１２上に組み付けられ、前後のプーリ３１、３１に巻き掛ける無端のワイヤ３２を備えている。ただし、前のプーリ３１は、後扉１２の戸先側に突出して配置されている。ワイヤ３２は、前扉１１上の連結金具３３を介して前扉１１の戸尻側に連結するとともに（図４、図６（Ｂ））、連結金具３４を介してガイドレール１３用の固定部材１３ａに連結されている。そこで、前扉１１、後扉１２は、互いに連動して前後に開閉駆動することができ、それぞれの駆動速度は、連動機構３０により前扉１１が後扉１２の２倍に設定されている。すなわち、図４、図５の全閉位置の前扉１１、後扉１２を戸尻側の開き方向に駆動すると、前扉１１が後扉１２に収納されるとともに後扉１２が戸尻側の戸袋Ｓ1 に収納されて全開位置となる（図５の二点鎖線）。
【００２１】
なお、連動機構３０を介して前扉１１、後扉１２を連動させる引き戸１０の基本構成は、特開２００７−２９１６６４号公報に記載されている。ただし、図６（Ａ）、（Ｂ）は、それぞれ連動機構３０を省略し、連動機構３０を図示する図４のＺ1 矢視相当要部拡大模式図であり、図６（Ｃ）は、図４のＺ2 矢視相当要部拡大模式図である。
【００２２】
前扉１１の戸先側の室内側、室外側には、それぞれ引き手１１ｄが取り付けられている（図３、図５）。また、前扉１１の戸先側、戸尻側の端面には、それぞれ戸当り用のシール材１１ｅ、クッション材１１ｆが付設されている。
【００２３】
一方、戸袋Ｓ1 の戸尻側の竪枠４１には、戸当り用のクッション材４１ａが付設されている。戸袋Ｓ1 の室内側は、開放されており、室外側には、中間枠４２を介して、石膏ボードＷ3 、外パネルＷ1 の壁パネルＷが装着されている。なお、中間枠４２は、床上のベース板４２ａを介して位置決めされている（図５、図６（Ｃ））。また、後扉１２の戸尻側の室内側には、引き手１２ｅが取り付けられ（図３、図５）、引き戸１０を全閉位置にロックする操作部１２ｆが装着されている。操作部１２ｆは、上向きのデッドボルト１２ｆ1 を昇降駆動してロック部材１２ｆ2 に係脱させるとともに（図４）、ロックの有無を表示する表示窓１２ｆ3 が後扉１２の室外側に付属している（図１）。
【００２４】
なお、引き戸１０は、図示しないぜんまいばね式の駆動ユニットにより自動閉鎖形に構成されている。そこで、前扉１１の前進限を規定するクッション性のストッパ１１ｇが吊車１１ａのブラケットに対応するように配置されており（図４）、図示しない自動閉鎖時の衝撃吸収用のエアダンパが装備されている。また、引き戸１０は、吊車１１ａに付設するローラ１１ａ2 を板ばね式の保持部材１１ｈに係合させて全開位置に保持することができる。引き戸１０、戸袋Ｓ1 の室内側の上部は、着脱可能な点検カバー１４を介して閉じられており（図３）、点検カバー１４は、図示しないフック部材に上端を掛け、戸先側、戸尻側を固定部材１４ａ、１４ａにねじ止めして固定されている（図４）。
【００２５】
開き戸２０は、中心吊りのピボットヒンジ２１を介し、段付きの竪枠４３の室外側に装着されている（図１、図５）。開き戸２０は、段付きの上枠４４を介してトイレスペースＳの短辺と同方向の全閉位置が規定されており（図４、図５）、図示しないドアクローザを介して開き角度がたとえば９０°の外開きに設定されている。開き戸２０の戸先側の室内側には、開き戸２０を全閉位置にロックする図示しない上向きのデッドボルト用の操作部２２が取り付けられている（図３）。また、開き戸２０の戸先側の室内側には、前扉１１の戸先側のシール材１１ｅが進入して当接する段部２３が形成されている（図２、図５）。そこで、引き戸１０は、前扉１１の戸先側を全閉位置の開き戸２０の戸先側に直角に当接させて全閉位置に閉じることができ、ストッパ１１ｇは、前扉１１の前進限を規定するバックアップ用である。
【００２６】
引き戸１０、開き戸２０を開放すると、トイレスペースＳの長辺側、短辺側にそれぞれ出入口Ｐ1 、Ｐ2 を一体に開口することができる（図２）。また、引き戸１０、開き戸２０を閉じれば、トイレスペースＳを体裁よく隠蔽することができる（図１）。なお、トイレスペースＳには、たとえば開き戸２０の対面側に便器Ｓa を設置し（図７（Ａ））、便器Ｓa の左右にそれぞれ手摺Ｓb 、Ｓc を配置することができる。ただし、右側の手摺Ｓc は、水平姿勢から上向きの垂直姿勢に可変させる回転式とする。
【００２７】
そこで、車椅子Ｃを利用する身障者Ｍは、前扉１１の室外側の引き手１１ｄを介して引き戸１０を全開位置に開放し（図７（Ａ）、（Ｂ））、その後、車椅子Ｃに乗ったままトイレスペースＳに入室する。その後、身障者Ｍは、車椅子Ｃから便器Ｓa の便座に移乗して着座するとともに（図７（Ｃ））、後扉１２の引き手１２ｅを介して引き戸１０を閉じて用を足す。なお、車椅子Ｃから便器Ｓa の便座に移乗する際に、適宜手摺Ｓb 、Ｓc を利用することができる。また、引き戸１０を閉じたら、操作部１２ｆを操作して引き戸１０をロックしてもよい。
【００２８】
用が済めば、逆順序により引き戸１０を開け、車椅子Ｃに移乗して退出する。なお、引き戸１０は、自動閉鎖形であるため、退出後の身障者Ｍが前扉１１の室外側の引き手１１ｄを介して軽く閉じ方向に操作して保持部材１１ｈによる保持を解放することにより、自動的に全閉位置に閉じることができる。
【００２９】
車椅子Ｃ上の身障者Ｍが介助者Ｍa を必要とするときは（図８（Ａ））、まず、介助者Ｍa が引き戸１０を全開に開放するとともに、開き戸２０をも開放し（図８（Ｂ））、介助者Ｍa が車椅子Ｃ上の身障者ＭをトイレスペースＳに入室させる。つづいて、介助者Ｍa は、身障者Ｍを車椅子Ｃから便器Ｓa の便座に移乗させて着座させ（図８（Ｃ））、車椅子Ｃとともに退室して開き戸２０、引き戸１０を閉じる。その後、介助者Ｍa は、身障者Ｍから用が済んだ旨の合図があったら、引き戸１０、開き戸２０を開け、以後、逆順序により身障者Ｍを車椅子Ｃに乗せて退出すればよい。ただし、図８（Ｂ）、（Ｃ）において、手摺Ｓc は、上向きの垂直姿勢に図示されている。
【００３０】
なお、図２において、引き戸１０、開き戸２０による出入口Ｐ1 、Ｐ2 の有効開口幅は、車椅子Ｃの最大寸法７００×１２００mmとして、それぞれ８５０〜１２００mm、６００〜９００mm程度に設定することが好ましい。
【００３１】
以上の説明において、引き戸１０の連動機構３０は、前扉１１、後扉１２を有効に連動させ得る限り、図示以外の形式であってもよい。また、開き戸２０用のヒンジは、中心吊りに代えて、たとえば持出吊りのピボットヒンジであってもよく、ピボットヒンジ以外の他の形式であってもよい。さらに、トイレスペースＳは、長辺、短辺の相対関係を図１〜図３と逆に配置してもよく、そのときの引き戸１０、開き戸２０の相対関係も、図示と逆になることはいうまでもない。
【産業上の利用可能性】
【００３２】
この発明は、たとえば医療施設（病院）や高齢者福祉施設などの個室内のトイレのように、トイレスペースに対する制約が厳しい用途に対して殊に広く好適に適用することができる。
【符号の説明】
【００３３】
Ｓ…トイレスペース
Ｓ1 …戸袋
１０…引き戸
１１…前扉
１１ｄ…引き手
１２…後扉
１２ｅ…引き手
１２ｆ…操作部
２０…開き戸
２２…操作部
３０…連動機構
特許出願人      小松ウオール工業株式会社
【図１】
0006386292.tif 000002
【図２】
0006386292.tif 000003
【図３】
0006386292.tif 000004
【図４】
0006386292.tif 000005
【図５】
0006386292.tif 000006
【図６】
0006386292.tif 000007
【図７】
0006386292.tif 000008
【図８】
0006386292.tif 000009